(57)【要約】【課題】  リスニングルームなどの音響特性と音楽ソースの音響特性により最適な再生音響を実現すること。【解決手段】  データベースから検索したメタデータを解析して音声データの音響特性を決定し、音声データの音響特性と、再生音場空間の室内音響特性とに基づいて、音声データを再生する際の音響特性の調整を行うようにした。【選択図】図８
2008233920.tif 000002
【特許請求の範囲】
【請求項１】
音声データを再生する音声データ再生手段と、
上記音声データからコンテンツ識別コードを検出するコンテンツ識別コード検出手段と、
上記コンテンツ識別コードに基づいて、データベースからコンテンツ識別コードに対応するメタデータを読み出すデータベース検索手段と、
上記データベース検索手段によりデータベースから検索したメタデータを解析して、上記音声データ再生手段で再生した音声データの音響特性を決定する音声データ解析手段と、
再生音場空間の室内音響特性を測定する音響特性測定手段と、
上記音響特性測定手段により測定した室内音響特性と、上記音声データ解析手段により取得した上記音響特性とに基づいて、上記音声データを再生するときの音響特性の調整を行う音響特性調整手段と、
を備える音響再生装置。
【請求項２】
上記データベース検索手段は、
上記メタデータをネットワークを介して取得することを特徴とする請求項１に記載の音響再生装置。
【請求項３】
上記音声データ解析手段は、
上記データベース検索手段によりデータベースから検索したメタデータを解析して、上記音声データ再生手段で再生した音声データが収録された音響空間の音響特性を音声データの音響特性とすることを特徴とする請求項２に記載の音響再生装置。
【請求項４】
上記音響特性測定手段は、
上記再生音場空間に対して上記音声データ再生手段で再生した再生音に基づいて、上記再生音場空間の室内音響特性を算出する室内音響特性算出手段により構成されることを特徴とする請求項１に記載の音響再生装置。
【請求項５】
上記音響特性取得手段は、
上記音響特性を上記音声データが記録されている記録メディアから取得することを特徴とする請求項１に記載の音響再生装置。
【請求項６】
上記音響特性取得手段は、
上記音響特性をネットワークを介して取得することを特徴とする請求項１に記載の音響再生装置。
【請求項７】
データベースから検索したメタデータを解析して音声データの音響特性を決定し、
上記音声データの音響特性と、再生音場空間の室内音響特性とに基づいて、上記音声データを再生する際の音響特性の調整を行う音響再生方法。
【発明の詳細な説明】
【技術分野】
【０００１】
本発明は、例えばコンサートホールなどで録音された音楽ソースをリスニングルームで再生するのに好適な音響再生方法と、そのような音響再生方法による再生が可能な音響再生装置に関するものである。
【背景技術】
【０００２】
リスニングルームの音響特性は、リスニングルームの大きさ・形・内装の状態によってそれぞれ異なるものとされる。このため、リスニングルームの音響特性を、標準的な音響特性や聴取者の好みの音響特性に近づけるように補正を行う音響再生装置がある。
そのような音響再生装置では、例えばリスニングルーム内に音響特性を測定するための測定信号を放射し、その応答（反射音）を収音して、リスニングルームの室内音響特性の算出が行われる。そして、算出した室内音響特性から、リスニングルーム内の音響特性を補正するための補正特性を算出し、算出した補正特性により再生信号の補正を行うようにしたものがある（特許文献１）。
【０００３】
リスニングルームなどの室内音響特性を測定するには、音源位置から聴取位置までの伝達関数を求める必要がある。リスニングルームの場合、音源位置は音響再生装置のスピーカ位置になる。
例えばインテンシティステレオ方式では、前方左右に配置された２個のスピーカが音源位置となる。また例えば５．１チャネル方式では、前方左右に配置された２個のスピーカと、前方中央の１個のスピーカ、後方左右に配置された２個のスピーカとからなり、これら５個のスピーカが音源位置になる。このように、スピーカが音源位置となる場合、その測定は各チャネルのスピーカごとに行うようにする。そして、全チャネルを駆動させたときの伝達関数は、各チャネルの伝達関数の和を演算することで求められる。
【０００４】
聴取位置に設置する測定用マイクロフォンは、指向特性が聴取者と同じような特性であるか、または、音源位置探索が可能な近接４点法マイクロフォンが用いられる（非特許文献１）。
【０００５】
また、聴取者の指向特性と同じ特性を持つマイクロフォンとしては、ダミーヘッドマイクロフォンがあり、簡易化したものとして、頭部に似せて作った回転楕円体の表面で人の耳に相当する両脇にマイクロフォンを埋め込んだものもある。
【０００６】
また、オーディオシステムの設置と特性調整とに関する情報を、ネットワークを介して取得し、それにしたがってオーディオシステムが自動的に特性を調整する方法なども提案されている。
【０００７】
例えば、センターサーバと、このセンターサーバと通信網を介して接続されるオーディオシステムによってサービスシステムを構築する。そして、センターサーバはオーディオシステムに対して、オーディオ機器調整用データ、及びオーディオ機器取付データを送信するようにされる。
【０００８】
一方、オーディオシステムは、受信したオーディオ機器調整用データを使用して音響特性を自動的に調整するようにされる。またオーディオシステムは、受信したオーディオ機器の取付データを表示して、ユーザは表示された取付方法に基づいて、オーディオ機器を車両に取り付けるようにしたものがある（特許文献２）。
なお、拡散音場における両耳間相関係数については非特許文献２がある。
【０００９】
【特許文献１】特開平６−３２７０８９号公報
【特許文献２】特開２００２−６７８１５号公報
【非特許文献１】近接４点法によるコンサートホールの音響測定、山崎芳男、伊藤毅、JAS Journal １９８７年１０月号
【非特許文献２】拡散及び再生音場における両耳間相関係数、東山三樹夫、他、日本音響学会聴覚研究会資料、Ｈ−８４−２８、１９８４年
【発明の開示】
【発明が解決しようとする課題】
【００１０】
しかしながら、聴取者がリスニングルームで聴く音楽ソースは様々であり、ジャンルやコンサートホールの反射音・残響音がどのように録音されているかによっても求められる音響特性が異なる。このため、これまでの音響再生装置では、音楽ソースのジャンルや録音環境などを考慮して、音楽ソースを入れ替える度にユーザが音響特性の調整を行うなど煩わしい作業が必要になるという欠点があった。
【００１１】
そこで、本発明は、上記したような点を鑑みてなされたものであり、リスニングルームなどの音響特性と音楽ソースの音響特性に基づいて、最適な音響特性を実現することができる音響再生方法と音響再生装置を提供することを目的とする。
【課題を解決するための手段】
【００１２】
上記目的を達成するために、本発明の音響再生方法は、データベースから検索したメタデータを解析して音声データの音響特性を決定し、上記音声データの音響特性と、再生音場空間の室内音響特性とに基づいて、上記音声データを再生する際の音響特性の調整を行うようにした。
【００１３】
また本発明の音響再生装置は、音声データを再生する音声データ再生手段と、上記音声データからコンテンツ識別コードを検出するコンテンツ識別コード検出手段と、上記コンテンツ識別コードに基づいて、データベースからコンテンツ識別コードに対応するメタデータを読み出すデータベース検索手段と、上記データベース検索手段によりデータベースから検索したメタデータを解析して、上記音声データ再生手段で再生した音声データの音響特性を決定する音声データ解析手段と、再生音場空間の室内音響特性を測定する音響特性測定手段と、上記音響特性測定手段により測定した室内音響特性と、上記音声データ解析手段により取得した上記音響特性とに基づいて、上記音声データを再生するときの音響特性の調整を行う音響特性調整手段と、を備えるようにした。
【００１４】
このような本発明によれば、再生すべき音声データの音響特性と再生音場空間の音響特性とに基づいて、音声データを再生するときの音響特性を調整することが可能になる。
【発明の効果】
【００１５】
本発明によれば、リスニングルームの音響特性と、再生すべき音楽ソースの音声データを録音したときの音響特性に応じて、音声データを再生するときの音響特性の調整を行うことが可能になるので、音響再生装置において録音環境やジャンルが異なる音楽ソースを再生する場合でも、ユーザが音響特性の調整を行うことなく、自動的に音楽ソースに適した音響特性に調整して再生することが可能になる。
【発明を実施するための最良の形態】
【００１６】
以下、本発明の実施の形態について説明する。
なお、本実施の形態では、例えば光ディスクなどの記録メディアに対して、反射音や残響音が含まれないオンマイクで収録した音声データと共に、その音声データが再生されるべき空間の性質を示すメタデータが記録されているものとする。
【００１７】
先ず、図１〜図７を用いて本実施の形態の音響再生装置について説明する。
図１は、本実施の形態とされる音響再生装置の構成を示したブロック図である。
この図１において、音声データ再生部２は、例えば図示していない記録メディアに記録されている音声データを読み出し、読み出した音声データをデコードするといった再生処理を行うようにされる。
【００１８】
メタデータ解析部３は、音声データ再生部２を介して記録メディアに記録されているメタデータを取得するようにされる。そして、取得したメタデータを解析して記録メディアの音声データを再生するのに適した再生音場空間であるリスニングルームの音響特性を決定するようにされる。記録メディアにメタデータとして記録される再生音場空間の性質は図２のように示すことができる。
【００１９】
再生音場空間の性質はリバーブによって示される。リバーブは、図２（ｂ）に示すように原音（直接音）と初期反射音、リバーブ本体の残響音によって示されることになる。
このため、再生音場空間の性質を示すパラメータとその尺度（定義）は、図２（ａ）のように示すことができる。
【００２０】
例えば、レートリバーブレンス（late reverbrance）は直接音からリバーブ本体までの残響時間長により示され、例えばその数値は１．４〜２．８（ｓｅｃ）とされる。
ライブネス（liveness）は高音の残響時間長により示され、その数値は例えば１．５〜２．２（ｓｅｃ）とされる。
ソースプレゼンス（source presence）は直接音と初期反射音との比により示され、例えばその数値は−２〜２（ｄＢ）とされる。
ワームス（warmth）は低音の初期反射音と高音の初期反射音との比により示され、例えばその数値は１．２〜１．２５（ｄＢ）とされる。
ルームプレゼンス（room presence）は残響音のレベルにより示され、例えばその数値は−０．５〜０．５（ｄＢ）とされる。
ランニングリバーブレンス（running reverbrance）は初期反射音の残響時間長により示され、例えばその数値は１．８〜２．６（ｓｅｃ）とされる。
エンベロープメント（envelopment）は直接音に対する初期反射音の比率により示され、例えばその数値は０．１〜０．３（％）とされる。
【００２１】
音響特性データ記憶部４は、例えばメモリにより構成され、メタデータ解析部３で解析した音響特性データを記憶するようにされる。
【００２２】
切替スイッチ５は、再生特性制御部６に供給する音声データの音響特性データを選択するスイッチであり、音響特性データ記憶部４に一旦記憶した音響特性データ、またはメタデータ解析部３から出力される音響特性データの何れかを選択するようにされる。
【００２３】
再生特性調整部７は、再生特性制御部６の制御に基づいて音声データ再生部２で再生された音声データの音響特性を調整するようにされる。
再生特性制御部６は、切替スイッチ５を介してメタデータ解析部３または音響特性データ記憶部４から入力される音響特性データと、切替スイッチ１８を介して入力されるリスニングルームの室内音響特性データとに基づいて、再生特性調整部７の制御を行うようにされる。なお、リスニングルームの音響特性データの取得方法については後述する。
【００２４】
切替スイッチ８は、室内音響特性解析部１６に対して室内音響特性測定データ記憶部１９の測定データ、または音声データ再生部２の音声データのいずれかを供給するためのスイッチとされる。
【００２５】
切替スイッチ９は、後段のＤ／Ａ変換部１０に対して、再生特性調整部７からの音声データ、または後述する音響特性測定データ記憶部１９からの音響特性測定データの何れかを供給するためのスイッチとされる。
【００２６】
Ｄ／Ａ変換部１０は、切替スイッチ９を介して入力されるデジタル信号（データまたは音響特性測定データ）をアナログ信号（音声信号または音響特性測定信号）に変換して出力するようにされる。
【００２７】
電力増幅部１１は、Ｄ／Ａ変換部１０からのアナログ信号を所定レベルまで増幅し、スピーカシステム１２は、電力増幅部１１で増幅した信号を可聴音として出力するようされる。
【００２８】
マイクロフォンシステム１３は、例えばリスニングルームの室内音響特性を測定するときに、所定のリスニングポイント（聴取位置）に配置され、その位置において音響を収音するようにされる。
マイクロフォン増幅部１４は、マイクロフォンシステム１３で収音して得られた収音信号を増幅して出力するようにされる。
Ａ／Ｄ変換部１５は、マイクロフォン増幅部１４からのアナログ収音信号をデジタル収音信号に変換して出力するようにされる。
【００２９】
室内音響特性解析部１６は、切り替えスイッチ８を介して入力される入力信号を基準信号として、Ａ／Ｄ変換部１５を介して入力される収音データの解析を行うことでリスニングルームの室内音響特性を得るようにされる。
室内音響特性データ記憶部１７は、例えばメモリにより構成され、室内音響特性解析部１６で得られた室内音響特性データを記憶するようにされる。
【００３０】
切替スイッチ１８は、再生特性制御部６に供給するリスニングルームの音響特性データを選択するスイッチであり、音響特性データとして、室内音響特性データ記憶部１７に一旦記憶した音響特性データ、または、室内音響特性解析部１６から直接出力される音響特性データの何れかを供給するようにされる。
【００３１】
室内音響特性測定データ記憶部１９には、リスニングルームなどの室内音響特性を測定するための測定データが記憶されている。このような測定データは、Ｍ系列信号(Maximum Length Sequence)、ＴＳＰ(Time Stretched Pulse)信号などが考えられる。
【００３２】
なお、このような音響再生装置１全体の制御や、切替スイッチ５，８，９，１８の切り替え制御は、図示していないシステムコントローラによって行われている。
【００３３】
このように構成される音響再生装置１においては、記録メディアに記録されているメタデータから得られる音響特性と、実際のリスニングルームの室内音響特性に基づいて、音声データの音響特性の調整を行うようにしている。このため、音響再生装置１においては、音声データの音響特性を取得する音響特性取得手段としてメタデータ解析部３が設けられていると共に、リスニングルームの室内音響特性を測定するための音響特性測定手段が設けられている。
【００３４】
図３（ａ）（ｂ）は、上記した音響再生装置１に設けられている音響特性測定手段の構成を示した図である。
図３（ａ）には、室内音響特性測定データ記憶部１９を利用した音響特性測定手段の構成を示した図である。この場合、室内音響特性測定データ記憶部１９からは、測定項目に適した音源データを選択して読み出す。そして、読み出した測定データは切替スイッチ９を介してＤ／Ａ変換部１０に伝送し、Ｄ／Ａ変換部１０でＤ／Ａ変換した後、電力増幅部１１で増幅し、増幅した測定信号をスピーカシステム１２から出力するようにしている。
【００３５】
スピーカシステム１２の出力音は、リスニングルームの所定の測定点に設置されたマイクロフォンシステム１３のマイクロフォンにより収音するようにされる。
そして、マイクロフォンシステム１３のマイクロフォンから出力される収音信号をマイクロフォン増幅部１４で増幅し、増幅した収音信号をＡ／Ｄ変換部１５でＡ／Ｄ変換した後、室内音響特性解析部１６に伝送するようにされる。
【００３６】
この場合、室内音響特性解析部１６では、切替スイッチ８を介して室内音響特性測定データ記憶部１９から入力される測定データを基準データとして収音データの解析を行うことで、リスニングルームの音響特性（伝達関数）を得るようにしている。
室内音響特性解析部１６の解析結果は、室内音響特性データ記憶部１７に記憶するようにしている。
【００３７】
ここで、室内音響特性解析部１６において、室内音響特性測定データ記憶部１９の測定データを基準データとしてリスニングルームの伝達関数を得るようにしているのは以下のような理由による。
【００３８】
基本的には、スピーカシステム１２から出力する測定音の信号をインパルス信号として、その応答をマイクロフォンシステム１３で収音すれば、マイクロフォンシステム１３の収音信号がリスニングルームの伝達関数となるが、この方法ではＳ／Ｎを上げることが困難とされる。このため、本実施の形態では、測定データとしてエネルギーが大きい信号を用い、室内音響特性解析部１６において、Ａ／Ｄ変換器１５を介して入力される収音データ（応答信号）を切替スイッチ８を介して入力される測定データで割り算することでリスニングルームの伝達関数を算出するようにしている。
【００３９】
また、非特許文献２によれば、等価両耳間距離（約３０ｃｍ）で配置した２つの無指向性マイクロフォンの相関係数を解析することで、音場が自然な拡散性をもっているかを判断できるものとされる。したがって、例えば再生特性を幾通りか変化させ、そのときの聴取位置での相関係数を測定すれば、室内音響特性解析部１６において自然な拡散音場に近い条件を室内音響特性データが得られることになる。
なお、室内音響特性測定データ記憶部１９から発生させる室内音響特性の測定データは、ＤＳＰ（Digital Signal Processor）などの演算手段によって、その都度生成するようにしても良い。
【００４０】
一方、図３（ｂ）には、室内音響特性測定データ記憶部１９を利用しない場合の音響特性測定手段の構成を示した図である。
この場合は、音声データ再生部２で再生された音声データを測定データとして用いるようにしている。つまり、音声データ再生部２で再生した音声データを、再生特性調整部７、切替スイッチ９を介してＤ／Ａ変換部１０に伝送し、Ｄ／Ａ変換部１０でＤ／Ａ変換した後、電力増幅部１１で増幅し、増幅した音声信号をスピーカシステム１２から出力するようにしている。
【００４１】
この場合も、スピーカシステム１２の出力音は、マイクロフォンシステム１３のマイクロフォンにより収音する。そして、マイクロフォンシステム１３のマイクロフォンから出力される収音信号をマイクロフォン増幅部１４で増幅し、増幅した収音信号をＡ／Ｄ変換部１５でＡ／Ｄ変換した後、室内音響特性解析部１６に伝送する。
【００４２】
室内音響特性解析部１６では、切替スイッチ８を介して音声データ再生部２から入力される音声データ等を利用して、測定測定項目に応じた解析を行うことで、再生音場空間であるリスニングルームの音響特性（伝達関数）を得るようにしている。
このような室内音響特性解析部１６の解析結果は、室内音響特性データ記憶部１７に記憶するようにしている。この場合も、収音データ（応答信号）を音声データ（入力信号）で割り算することで伝達関数が得られることになる。なお、室内音響特性データ記憶部１７には、予め代表的なリスニングルームの室内音響特性を記憶させておくことも可能である。
【００４３】
そして、このように構成される本実施の形態の音響再生装置１では、リスニングルームの室内音響特性の測定を行い、測定したリスニングルームの音響特性と、記録メディアに記録されているメタデータの音響特性に基づいて、再生特性調整部７において音声データ再生部２から再生される音声データの音響特性を調整するようにしている。
このようにすれば、本実施の形態の音響再生装置１において、リスニングルームの室内音響特性と、再生すべき音楽ソースの音声信号を録音したときの音響特性に応じて、音声信号を再生するときの音響特性の調整を行うことができる。
この結果、音響再生装置１において録音環境やジャンルが異なる音楽ソースを再生する場合でも、ユーザが音響特性の調整を行うことなく、自動的に音楽ソースに適した音響特性に調整して再生することが可能になる。
【００４４】
ここで、リスニングルームが音像に影響を与える音響特性について説明しておく。
音響特性に影響を与えるリスニングルームの構造としては、例えば音響空間の左右の非対称性がある。そのようなリスニングルームの一例を図４に示す。
この図４に示すリスニングルーム２０は、聴取者Ｕの左壁面２１Ｌに比べて右壁面２１Ｒのほうが吸音性が高く、右壁面２１Ｒからの反射音が殆ど無いものとされる。つまり、左壁面２１Ｌと右壁面２１Ｒでは反射の状態が大きく異なるものとされる。
【００４５】
この場合、聴取者Ｕの左前方に配置されている左スピーカ１２Ｌから聴取者Ｕに到達する音と、聴取者Ｕの右前方に配置されている右スピーカ１２Ｒから聴取者Ｕに到達する音を比較すると、スピーカ１２Ｌ，１２Ｒからそれぞれ聴取者Ｕに到達する直接音ＳＤＬ、ＳＤＲは、ほぼ同じとされるが、左右の壁面２１Ｌ，２１Ｒで反射した反射音ＳＲＬ，ＳＲＲは大きく異なることになる。この結果、本来、左右スピーカ１２Ｌ，１２Ｒのほぼ中央位置に定位させるべきボーカルや主要楽器などの音像２２が、反射音の大きい方向（この場合は左方向）にずれてしまったり、或いは特定方向からの響きだけが目立ってしまうなど、リスニングルーム２０の音像に影響を与えることがある。
【００４６】
そこで、本実施の形態の音響再生装置１では、再生特性調整部７を図５に示すように構成して音声データの調整を行うようにしている。
この図５に示す再生特性調整部７は、擬似反射音付加回路２３、チャネル間レベル差調整回路２４により構成され、リスニングルーム２０の右壁面２１Ｒからの反射音がほとんど無い場合には、右スピーカ１２Ｒから出力される音声データに対して擬似反射音付加回路２３で擬似反射音データを付加した後、チャネル間レベル差調整回路２４において左右チャネル間のレベル差を調整して出力するようにしている。
このように構成すると、リスニングルーム２０の右壁面２１Ｒからの反射音ＳＲＲが殆ど無い場合でも、右スピーカ１２Ｒからの擬似反射音ＳＲＲ１により、左右スピーカ１２Ｌ，１２Ｒのほぼ中央位置にボーカル等の音像２２を定位させることができるようになる。
【００４７】
また、再生特性調整部７に対して、破線で示すような擬似残響音データを付加する擬似残響音付加回路２５を設け、右スピーカ１２Ｒの再生音に対して、擬似残響音を付加すれば、より自然にボーカル等の音像２２を定位させることができる。
【００４８】
また再生特性調整部７は、図６に示すように構成することも可能である。
この図６に示す再生特性調整部７は、キャンセリングフィルタ５１と擬似反射音付加回路２３とにより構成され、キャンセリングフィルタ５１において、リスニングルーム２０の左右スピーカ１２Ｌ，１２Ｒからの再生音をキャンセルＳＣＬ，ＳＣＲしてから希望する反射音などの音響特性を付加するようにしている。つまり、スピーカ１２Ｌ，１２Ｒから聴取位置までの特性が平坦な周波数特性になるように逆特性をかけてから、疑似反射音付加回路２３において希望する反射音の音響特性を付加するようにしている。
【００４９】
このように構成すると、リスニングルーム２０の右壁面２１Ｒからの反射音ＳＲＲが殆ど無い場合でも、左スピーカ１２Ｌからの擬似反射音ＳＲＬ１と、右スピーカ１２Ｒからの擬似反射音ＳＲＲ１により、左右スピーカ１２Ｌ，１２Ｒのほぼ中央位置に拡がり感のあるボーカル等の音像２２を定位させることができるようになる。
【００５０】
また、この場合も再生特性調整部７に対して、破線で示すような擬似残響音データを付加する擬似残響音付加回路２５を設け、左右のスピーカ１２Ｌ，１２Ｒから出力される再生音に対して擬似残響音を付加すれば、さらにより自然に音像２２を定位させることができるようになる。
【００５１】
ここで、上記したようなキャンセリングフィルタ５１を図７を用いて説明しておく。
なお、図７では、再生音場空間６９における左スピーカ６７から聴取者Ｕの左耳ＥＬに至る経路の頭部回折伝達関数をＨLS、右スピーカ６８から聴取者Ｕの右耳ＥＲに至る経路の頭部回折伝達関数をＨRSとする。また左スピーカ６７から聴取者Ｕの右耳ＥＲに至る経路の頭部回折伝達関数をＨLO、右スピーカ６８から聴取者Ｕの左耳ＥＬに至る経路の頭部回折伝達関数をＨROとする。
【００５２】
この図７に示すキャンセリングフィルタ５１は、この図には示していないダミーヘッドマイクロフォンからの左収音信号ＳLinが左チャネル信号、右収音信号ＳRinが右チャネル信号として入力される。
【００５３】
左チャネル信号とされる左収音信号ＳLinは、加算器６１とクロストークキャンセル部６２に入力される。また、右チャネル信号とされる右収音信号ＳRinは、加算器６４とクロストークキャンセル部６３に入力される。
【００５４】
クロストークキャンセル部６２，６３は、それぞれ左スピーカ６７から聴取者Ｕの右耳ＥＲへのクロストークトーク成分と、右スピーカ６８から聴取者Ｕの左耳ＥＬへのクロストークトーク成分をキャンセルするためのフィルタとされる。
【００５５】
この場合、クロストークキャンセル部６２の伝達特性ＣRは−ＨRO／ＨRSと示される。またクロストークキャンセル部６３の伝達特性ＣLは−ＨLO／ＨLSと示される。
そして、このようなクロストークキャンセル部６２を通過した左収音信号ＳLinがキャンセル信号として加算器６４に入力される。またクロストークキャンセル部６３を通過した右収音信号ＳRinがキャンセル信号が加算器６１に入力される。
【００５６】
加算器６１は、入力される左収音信号ＳLinと、クロストークキャンセル部６３からのキャンセル信号を加算して出力する。このような加算器６１の出力は補正ブロック部６５に供給される。
加算器６４は、入力される右収音信号ＳRinとクロストークキャンセル部６２からのキャンセル信号を加算して補正ブロック部６６に供給するようにされる。
【００５７】
補正ブロック部６５は、左チャネルについて左スピーカ６７を含む再生系の補正を行うためのブロック部であり、クロストークキャンセル部６３により生じる特性の変化を補正するための補正部６５ａと、スピーカ特性を補正するスピーカ補正部６５ｂによって構成される。このような補正部６５ａの伝達特性は１／（１−ＣL・ＣR）と示される。また補正部６５ｂの伝達特性は１／ＨLSと示されることになる。このような補正ブロック部６５の出力は、キャンセリングフィルタ６０から左収音信号ＳLoutとして出力される。
【００５８】
また補正ブロック部６６は、右チャネルについて右スピーカ６８を含む再生系の補正を行うためのブロック部であり、クロストークキャンセル部６２により生じる特性の変化を補正するための補正部６６ａと、スピーカ特性を補正するスピーカ補正部６６ｂによって構成される。このような補正部６６ａの伝達特性は１／（１−ＣL・ＣR）と示される。また補正部６６ｂの伝達特性は１／ＨRSと示されることになる。このような補正ブロック部６６の出力は、キャンセリングフィルタ６０から右収音信号ＳRoutとして出力される。
【００５９】
そして、このようなキャンセリングフィルタ６０から出力される左収音信号ＳLoutを再生音場空間６９の左スピーカ６７に、右収音信号ＳRoutを再生音場空間６９の右スピーカ６８に入力する。すると、再生音場空間の聴取者Ｕの左耳ＥＬには、キャンセリングフィルタ６０に入力した左収音信号ＳLinに対応した左耳音だけを再生することができる。また、聴取者Ｕの右耳ＥＲには、同じくキャンセリングフィルタ６０に入力した右収音信号ＳRinに対応した右耳音だけを再生することができる。
【００６０】
ところで、上記した本実施の形態の音響再生装置１では、記録メディアの音声データと共に、その音声データが再生されるべき目標となる空間の性質を示すメタデータが記録されているものとして説明したが、そのようなメタデータは必ずしも記録メディアに記録しておく必要はない。
例えば、記録メディアにコンテンツ識別コードを記録し、そのコンテンツ識別コードに対応するメタデータがネットワーク上のデータベースなどに記録しておくことも可能である。
【００６１】
そこで、次に、本実施の形態の音響再生装置の他の構成として、記録メディアに記録されているコンテンツ識別コードに対応するメタデータがネットワーク上のデータベースなどに記録されている場合に好適な音響再生装置について説明する。
【００６２】
図８は、そのような音響再生装置の構成を示したブロック図である。
なお、図１に示した音響再生装置１と同一部位には同一番号を付して説明は省略する。
この図８において、コンテンツ識別コード検出部３１は、音声データ再生部２から出力される音声データから記録メディアに記録されているコンテンツ識別コードを検出するようにされる。
【００６３】
データベース検索部３２は、コンテンツ識別コード検出部３１において検出されたコンテンツ識別コードに基づいて、データベースからコンテンツ識別コードに対応するメタデータを読み出すようにされる。
例えば、データベース検索部３２は、コンテンツ識別コードが音響再生装置３０内のデータベース記憶装置部３３に既にメタデータとともに記憶されている場合は、データベース記憶装置部３３から対応するメタデータを読み出すようにされる。
【００６４】
一方、データベース記憶装置部３３に未だ記憶されていない場合には、ネットワークアクセス部３４を制御して、ネットワーク３５上のデータベースからコンテンツ識別コードに対応するメタデータを読み出し、メタデータをコンテンツ識別コードとともにデータベース記憶装置部３３に記憶するようにされる。
【００６５】
音声データ解析部３６は、データベース検索部３２によりデータベースから検索したメタデータを解析して記録メディアの音声データを再生するのに適したリスニングルームの音響特性を決定するようにされる。
【００６６】
このような音響再生装置３０においても、リスニングルーム２０の室内音響特性と、記録メディアに記録されている音声データに対応したメタデータに基づいて、再生した音声データの音響特性を調整することができるので、上記同様、録音環境やジャンルが異なる音楽ソースをリスニングルームで再生する場合でも、自動的に音楽ソースに適した音響特性に調整して再生することが可能になる。
【００６７】
なお、記録メディアに記録されている音声データなどを識別するためのコンテンツ識別コードは、コンテンツを識別するために記録されたものである必要はなく、例えば、コンパクトディスクのＴＯＣデータや楽曲信号データの一部分のように、同じ数値の組み合わせが存在する確率が非常に小さいものをコンテンツ識別コードとして用いることも可能である。
【００６８】
図９は、本実施の形態とされる音響再生装置のさらに他の構成を示したブロック図である。なお、図１及び図８に示した音響再生装置と同一部位には同一番号を付して説明は省略する。
この図９に示す音響再生装置４０では、音声データ解析部３６において、音声データ再生部２で再生した音声データの性質及び音声データが収録された音響空間、または、音声データが演奏されるであろう仮想音響空間の室内音響特性についての解析を行うようにしている。
【００６９】
例えば、音声信号の自己相関関数の形状やケプストラムの形状から反射音の含まれるタイミングやその大きさを解析し、チャネル間の相互相関関数から音像の拡がりなどの解析を行うようにしている。
このとき、音声データ解析部３６には、音声データの解析を行うときに周波数帯域に分けて反射音の構造を解析できるように帯域分割フィルタ機能を設けることが好ましい。
【００７０】
また、音声データ解析部３６の解析結果は、例えばコンテンツ識別コードごとに音声特性データ記憶部４に記憶しておき、コンテンツが選ばれるごとに呼び出しても良い。
【００７１】
このような音響再生装置４０においても、リスニングルーム２０の室内音響特性と、記録メディアに記録されている音声データから得た音声データの音響特性に基づいて、再生した音声データの音響特性を調整することができるので、上記同様、録音環境やジャンルが異なる音楽ソースをリスニングルームで再生する場合でも、自動的に音楽ソースに適した音響特性に調整して再生することが可能になる。
【００７２】
なお、これまで説明した音響再生装置の構成はあくまでも一例であり、記録メディアから再生すべき再生データの音響特性と、リスニングルームの室内音響特性とに基づいて、音響特性の調整を行うような音響再生装置であれば、何れの構成のものでも適用可能である。
【００７３】
また、本実施の形態では、記録メディアが光ディスクとして説明したが、これはあくまでも一例であり、例えばブルーレイ（Blu-Ray）方式のディスク、ＣＤ（Compact Disc）方式のディスク、ミニディスク（Mini Disk）、ＨＤＤ（ハードディスクドライブ）、或いはフラッシュメモリなどのメモリカードなど各種考えられるものである。
【図面の簡単な説明】
【００７４】
【図１】本発明の実施の形態とされる音響再生装置の構成を示したブロック図である。
【図２】記録メディアにメタデータとして記録される再生音場空間の性質を示すパラメータを示した図である。
【図３】本実施の形態とされる音響再生装置に設けられている音響特性測定手段の構成を示した図である。
【図４】リスニングルームの一例を示した図である。
【図５】再生特性調整部の構成例を示した図である。
【図６】再生特性調整部の他の構成例を示した図である。
【図７】キャンセリングフィルタの構成例を示した図である。
【図８】本実施の形態とされる音響再生装置の他の構成を示したブロック図である。
【図９】本実施の形態とされる音響再生装置のさらに他の構成を示したブロック図である。
【符号の説明】
【００７５】
１  ３０  ４０  音響再生装置、２  音声データ再生部、３  メタデータ解析部、４  音響特性データ記憶部、５  ８  ９  １８  切替スイッチ、６  再生特性制御部、７  再生特性調整部、１０  Ｄ／Ａ変換部、１１  電力増幅部、１２  スピーカシステム、１３  マイクロフォンシステム、１４  マイクロフォン増幅部、１５  Ａ／Ｄ変換部、１６  室内音響特性解析部、１７  室内音響特性記憶部、１９  室内音響特性測定データ記憶部、２０  リスニングルーム、２３  擬似反射音付加回路、２４  チャネル間レベル差調整回路、２５  擬似残響音付加回路、３１  コンテンツ識別コード検出部、３２  データベース検索部、３３  データベース記憶装置部、３４  ネットワークアクセス部、３５  ネットワーク、３６  音声データ解析部、５１  キャンセリングフィルタ
【図１】
2008233920.tif 000003
【図２】
2008233920.tif 000004
【図３】
2008233920.tif 000005
【図４】
2008233920.tif 000006
【図５】
2008233920.tif 000007
【図６】
2008233920.tif 000008
【図７】
2008233920.tif 000009
【図８】
2008233920.tif 000010
【図９】
2008233920.tif 000011